(57)【要約】【課題】省スペース化を図りつつ高い接続信頼性を確保することが可能な分岐構造及びワイヤハーネスを提供すること。【解決手段】棒導体を有する配索材で構成される複数本の電源系ライン２１が並列に配列された幹線ハーネス１１に、複数本の分岐線を有する枝線ハーネスが接続された分岐構造であって、電源系ライン２１に接合されることで分岐線を電源系ライン２１に電気的に接続する接続端子５０は、電源系ライン２１の直径Ｄより小さい幅寸法Ｗを有するとともに、電源系ライン２１における丸棒導体１３の外周面に面接触した状態で接合される接続板部５１を備え、接続板部５１が、電源系ライン２１に対して、その配列方向と直交する位置に接合されている。【選択図】図４
2018074704.tif 000002
【特許請求の範囲】
【請求項１】
棒導体を有する配索材で構成される複数本の幹線が並列に配列された幹線ハーネスに、複数本の分岐線を有する枝線ハーネスが接続された分岐構造であって、
前記幹線に接合されることで前記分岐線を前記幹線に電気的に接続する接続端子は、前記幹線の幅より小さい幅寸法を有するとともに、前記幹線における前記棒導体の外周面に面接触した状態で接合される接続板部を備え、
前記接続板部が、前記幹線に対して、その配列方向と直交する位置に接合されている
ことを特徴とする分岐構造。
【請求項２】
前記接続端子は、前記幹線の配列方向に沿って配置される回路基板に実装され、前記回路基板に設けたコネクタに前記枝線ハーネス側のコネクタが接合されることで前記分岐線と導通される
ことを特徴とする請求項１に記載の分岐構造。
【請求項３】
前記接続端子は、前記接続板部から前記幹線の配列方向に沿って延在するバスバー部を有し、前記バスバー部の端部に設けたコネクタに前記枝線ハーネス側のコネクタが接合されることで前記分岐線と導通される
ことを特徴とする請求項１に記載の分岐構造。
【請求項４】
所定の電流容量を有する電源系ラインを少なくとも有して車体に配索される前記幹線ハーネスと、
車両の補機に接続される前記枝線ハーネスと、
前記幹線ハーネスに供給される前記電源系ラインの電力を前記幹線ハーネスに接続される前記枝線ハーネスへ分配するための制御部を有し、前記幹線ハーネスに沿って分散配置された複数の制御ボックスと、を備え、
前記制御ボックスが、請求項１〜３のいずれか１項に記載の分岐構造によって前記幹線ハーネスに前記枝線ハーネスを接続している
ことを特徴とするワイヤハーネス。
【発明の詳細な説明】
【技術分野】
【０００１】
本発明は、分岐構造及びワイヤハーネスに関する。
【背景技術】
【０００２】
例えば、車両用ワイヤハーネスは、電源線やアース線などの幹線を集約した幹線ハーネスに枝線ハーネスを接続して各電装品に接続している。幹線ハーネスに枝線ハーネスを接続して分岐させる技術として、圧接端子を備えた分岐機構を用い、この分岐機構の圧接端子に幹線ハーネスの幹線を圧接して分岐線と接続するものがある（例えば、特許文献１参照）。
【先行技術文献】
【特許文献】
【０００３】
【特許文献１】特開２０１５−２２７０８９号公報
【発明の概要】
【発明が解決しようとする課題】
【０００４】
上記の圧接端子を備えた分岐機構は、一対の圧接刃の間に幹線を押し込んで圧接接続するため、幹線の両側に圧接刃が配置されることとなる。このため、この圧接端子を用いて枝線ハーネスを分岐させる場合、並列に配列された幹線ハーネスの幹線同士の間隔が大きくなり、占有スペースが増大する。
【０００５】
また、圧接端子を用いた分岐構造では、圧接刃同士の間に電線を押し込んで接触させるため、大電流が流れる電力線などの幹線では、接触面積の不足によって接続信頼性が低下するおそれがある。
【０００６】
また、近年、車両用ワイヤハーネスの幹線ハーネスの幹線としては、軽量化及び取り扱い性の向上等の目的のためにアルミニウム等の単線からなる剛体線が用いられつつあるが、圧接端子の圧接刃は、剛体線である単線に食い込みづらいため、圧接端子を備えた分岐機構を用いる分岐構造に代わる分岐構造が望まれている。
【０００７】
本発明は、上述した事情に鑑みてなされたものであり、その目的は、省スペース化を図りつつ高い接続信頼性を確保することが可能な分岐構造及びワイヤハーネスを提供することにある。
【課題を解決するための手段】
【０００８】
前述した目的を達成するために、本発明に係る分岐構造及びワイヤハーネスは、下記（１）〜（４）を特徴としている。
（１）  棒導体を有する配索材で構成される複数本の幹線が並列に配列された幹線ハーネスに、複数本の分岐線を有する枝線ハーネスが接続された分岐構造であって、
前記幹線に接合されることで前記分岐線を前記幹線に電気的に接続する接続端子は、前記幹線の幅より小さい幅寸法を有するとともに、前記幹線における前記棒導体の外周面に面接触した状態で接合される接続板部を備え、
前記接続板部が、前記幹線に対して、その配列方向と直交する位置に接合されている
ことを特徴とする分岐構造。
（２）  前記接続端子は、前記幹線の配列方向に沿って配置される回路基板に実装され、前記回路基板に設けたコネクタに前記枝線ハーネス側のコネクタが接合されることで前記分岐線と導通される
ことを特徴とする上記（１）に記載の分岐構造。
（３）  前記接続端子は、前記接続板部から前記幹線の配列方向に沿って延在するバスバー部を有し、前記バスバー部の端部に設けたコネクタに前記枝線ハーネス側のコネクタが接合されることで前記分岐線と導通される
ことを特徴とする上記（１）に記載の分岐構造。
（４）  所定の電流容量を有する電源系ラインを少なくとも有して車体に配索される前記幹線ハーネスと、
車両の補機に接続される前記枝線ハーネスと、
前記幹線ハーネスに供給される前記電源系ラインの電力を前記幹線ハーネスに接続される前記枝線ハーネスへ分配するための制御部を有し、前記幹線ハーネスに沿って分散配置された複数の制御ボックスと、を備え、
前記制御ボックスが、上記（１）〜（３）のいずれか１つに記載の分岐構造によって前記幹線ハーネスに前記枝線ハーネスを接続している
ことを特徴とするワイヤハーネス。
【０００９】
上記（１）の構成の分岐構造によれば、分岐線を幹線に電気的に接続するための接続端子の接続板部が、棒導体を有する幹線の幅より小さい幅寸法を有し、幹線に対して、その配列方向と直交する位置に接合されている。したがって、分岐線を幹線に接続するための接続端子が幹線の配列方向へ出っ張ることがない。そこで、幹線同士の間隔を極力狭めることができ、分岐箇所の省スペース化が図れる。
また、幹線における棒導体の外周面に対して接続端子の接続板部が面接触した状態で接合されるので、大きな接触面積を確保でき、高い接続信頼性を確保することができる。
上記（２）の構成の分岐構造によれば、幹線の配列方向に沿って配置される回路基板の導体パターンを通して、幹線に接合された接続端子と分岐線とを導通させることができるので、接続端子の共通化及び形状の単純化が図れ、これにより、コストを抑えることができる。
上記（３）の構成の分岐構造によれば、接続板部から延びるバスバー部が接続端子に設けられることで、回路基板を用いずに、幹線と接合された接続端子と分岐線とを導通させることができる。これにより、部品点数の削減によってコストを下げることができる。
上記（４）の構成のワイヤハーネスでは、所定の電流容量を有する電源系ラインを少なくとも有して車体に配索される幹線ハーネスと、この幹線ハーネスに沿って分散配置された複数の制御ボックスを介して補機を幹線ハーネスに接続する枝線ハーネスとによって、単純な構造を有するワイヤハーネスを構成することができると共に、幹線ハーネスにおける枝線ハーネスの接続箇所での省スペース化及び高い接続信頼性が得られるワイヤハーネスを提供できる。
【発明の効果】
【００１０】
本発明によれば、省スペース化を図りつつ高い接続信頼性を確保することが可能な分岐構造及びワイヤハーネスを提供できる。
【００１１】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１２】
【図１】図１は、本発明の一実施形態に係るワイヤハーネスが配索された車体の概略斜視図である。
【図２】図２は、本発明の第１実施形態に係る分岐構造を有する分岐ボックスの斜視図である。
【図３】図３は、図２に示した分岐ボックスの分解斜視図である。
【図４】図４は、図２に示した分岐ボックスにおける分岐箇所の要部断面図である。
【図５】図５は、本発明の第２実施形態に係る分岐構造を有する分岐ボックスの分解斜視図である。
【図６】図６は、本発明の第３実施形態に係る分岐構造を有する分岐ボックスの分解斜視図である。
【図７】図７は、図６に示した分岐ボックスにおける分岐箇所の要部断面図である。
【図８】図８は、図６に示した分岐ボックスの組立手順を示す図であって、図８（ａ）〜図８（ｃ）は、各工程における斜視図である。
【図９】図９は、配索経路に屈曲部分を有するワイヤハーネスを説明するワイヤハーネスの平面図である。
【図１０】図１０は、本発明の第４実施形態に係る分岐構造を有する分岐ボックスの分解斜視図である。
【図１１】図１１は、図１０に示した分岐ボックスの組立手順を示す図であって、図１１（ａ）〜図１１（ｃ）は、各工程における斜視図である。
【図１２】図１２は、本発明の第５実施形態に係る分岐構造を有する分岐ボックスの分解斜視図である。
【発明を実施するための形態】
【００１３】
以下、本発明に係る実施の形態の例を、図面を参照して説明する。
まず、本実施形態に係るワイヤハーネスの構成について説明する。
図１は、本発明の一実施形態に係るワイヤハーネス１０が配索された車体１の概略斜視図である。
【００１４】
図１に示すように、ワイヤハーネス１０は、車載のメインバッテリやサブバッテリなどの電源Ｂの電力を車体１の各部の補機である電装品にそれぞれ供給する電力供給経路や、電装品との信号の送受信を行うために必要な伝送経路等として用いられる。
【００１５】
このワイヤハーネス１０は、幹線ハーネス１１と、複数の枝線ハーネス１２とを備えている。幹線ハーネス１１は、例えば、棒導体である丸棒導体１３の周囲に絶縁被覆１５が形成された電源線やアース線等の電源系ライン２１と、プラスチック光ファイバで構成された通信ライン２２とが、長手方向に沿って所定間隔でモールド成形されたクランプ２３で一体的に保持されることで、背骨（バックボーン）のような形状が単純な配索材として構成されている。丸棒導体１３は、アルミニウム等の導電性金属材料からなる棒導体であり、断面円形状の丸棒からなる剛体である。アルミニウム又はアルミニウム合金からなる剛体である丸棒導体１３は、複数の素線を撚り合わせた撚線と比較して高い剛性を有し、また、銅線などと比較して軽量である。また、アルミニウム又はアルミニウム合金製の丸棒からなる丸棒導体１３は、あらゆる方向へ曲げることができる配索経路の自由度の高い配索材である。なお、通信ライン２２としては、光ファイバに限らず、例えば、銅または銅合金等からなる素線を撚り合わせた撚線などを用いることもできる。
【００１６】
本実施形態に係る幹線ハーネス１１は、フロア幹線ハーネス１１ａと、インパネ幹線ハーネス１１ｂとに大別される。
インパネ幹線ハーネス１１ｂは、図示しないダッシュパネルの面に沿った箇所で、リーンホースとほぼ平行になるように左右方向に向かって直線的に配置されている。
また、フロア幹線ハーネス１１ａは、車室内フロアに沿って車体１の左右方向のほぼ中央部において車体１の前後方向に延びるように配置されており、ダッシュパネルの面に沿った箇所では上下方向に直線的に延びてインパネ幹線ハーネス１１ｂの中間部に先端が接続されている。インパネ幹線ハーネス１１ｂとフロア幹線ハーネス１１ａとの接続部は、後述する制御ボックスである分岐制御ボックスＥ２における分岐部を経由して互いに電気的に接続可能な状態になっている。即ち、幹線ハーネス１１は、インパネ幹線ハーネス１１ｂとフロア幹線ハーネス１１ａとでＴ字状に似た形状に構成されている。
【００１７】
本実施形態に係る枝線ハーネス１２は、幹線ハーネス１１に一端部が分岐接続されている。枝線ハーネス１２は、その他端部にコネクタＣが接続されており、このコネクタＣに車体１の各部に設けられた電装品のコネクタが接続される。
【００１８】
また、幹線ハーネス１１には、幹線ハーネス１１に供給される電源系ライン２１の電力及び通信ライン２２の信号を幹線ハーネス１１に分岐接続される枝線ハーネス１２へ分配するための制御部を有し、幹線ハーネス１１に沿って分散配置された複数の制御ボックス（供給側制御Ｅ１、分岐制御ボックスＥ２、中間制御ボックスＥ３、制御ボックスＥ４，Ｅ５）が設けられている。これにより、各部の電装品には、電源Ｂからの電力供給及び各制御ボックスＥ１〜Ｅ５からの信号分配が行われる。
【００１９】
上記のワイヤハーネス１０では、幹線ハーネス１１と枝線ハーネス１２との接続箇所に、分岐制御ボックスＥ２が設けられている。そして、この分岐制御ボックスＥ２によって幹線ハーネス１１と枝線ハーネス１２とが接続されている。
【００２０】
次に、上記各制御ボックスＥ１〜Ｅ５における分岐構造について説明する。なお、ここでは、本実施形態に係る分岐構造の説明を容易にするため、幹線ハーネス１１の並列に配列された４本の幹線である電源系ライン２１に、枝線ハーネス１２の４本の分岐線７１をそれぞれ接続する分岐ボックス１００Ａの分岐構造を例に説明し、通信ライン２２の接続構造は省略する。
【００２１】
（第１実施形態）
図２は、本発明の第１実施形態に係る分岐構造を有する分岐ボックス１００Ａの斜視図である。図３は、図２に示した分岐ボックス１００Ａの分解斜視図である。図４は、図２に示した分岐ボックス１００Ａにおける分岐箇所の要部断面図である。
【００２２】
図２及び図３に示すように、本発明の第１実施形態に係る分岐構造を有する分岐ボックス１００Ａは、収容ケース３０を備えている。収容ケース３０は、下ケース３１と、カバー３２とから構成されている。これらの下ケース３１及びカバー３２は、それぞれ絶縁性を有する合成樹脂から形成されている。
【００２３】
下ケース３１は、矩形状の底面板部３３と、この底面板部３３の周縁に形成された周壁部３４とを有している。周壁部３４は、互いに対向配置された端面板部３５及び側面板部３６を有している。それぞれの端面板部３５には、対向位置に、複数（本例では４つ）の幹線挿通凹部３５ａが形成されている。また、側面板部３６の一方には、コネクタ収容凹部３６ａが形成されている。
【００２４】
カバー３２は、矩形状の上面板部３８と、この上面板部３８の周縁に形成された周壁部３９とを有している。カバー３２は、下ケース３１に対して、その上方から装着されて図示しないロック機構により固定される。これにより、下ケース３１には、その周壁部３４の上部における周囲をカバー３２の周壁部３９が覆うようにカバー３２が被せられる。
【００２５】
図２〜図４に示すように、収容ケース３０内には、幹線ハーネス１１を構成する複数（本例では４本）の幹線である電源系ライン２１が挿通される。また、収容ケース３０内には、複数の接続端子５０が設けられている。これらの接続端子５０は、接続板部５１を有しており、この接続板部５１には、下方へ延びるピン部５６が形成されている。これらの接続端子５０は、接続板部５１の上方へ向けられた一方の面が、電源系ライン２１における丸棒導体１３の外周面と面接触する接合面５２とされており、この接合面５２が絶縁被覆１５を剥がして露出させた丸棒導体１３の外周面に接合されている。それぞれの接続端子５０は、電源系ライン２１に対して、その配列方向と直交する位置である下部に接合されている。
【００２６】
なお、電源系ライン２１における丸棒導体１３の外周面と接合面５２とは、例えば、はんだ付けや超音波接合によって接合される。本実施形態では、棒導体からなる電源系ライン２１における丸棒導体１３が断面円形状の丸棒である。したがって、接続端子５０の接続板部５１は、電源系ライン２１の軸方向から視て、丸棒からなる丸棒導体１３の外周面に面接触して密着する円弧状に形成されている。また、この接続端子５０の接続板部５１は、その幅寸法Ｗが電源系ライン２１の直径Ｄ（幹線の幅）以下とされている。これにより、接続端子５０の接続板部５１は、電源系ライン２１の配列方向にはみ出すことなく丸棒導体１３に接合されている。
【００２７】
さらに、収容ケース３０内には、図３に示すように、硬質のプリント配線基板からなる回路基板６０が電源系ライン２１の配列方向に沿って設けられている。この回路基板６０には、接続端子５０のピン部５６が挿入されるスルーホール６１が形成されている。スルーホール６１は、電源系ライン２１の配列と同ピッチで回路基板６０に形成されている。そして、接続端子５０は、そのピン部５６がスルーホール６１へ挿し込まれており、回路基板６０に形成された導体パターン（図示略）にはんだ付けされて電気的に接続されている。
【００２８】
また、回路基板６０には、一側縁部に、コネクタ６２が設けられている。このコネクタ６２は、ハウジング６３を有しており、ハウジング６３の内部には、複数のタブ端子６４が設けられている。このコネクタ６２のタブ端子６４は、回路基板６０の導体パターンに電気的に接続されている。このコネクタ６２は、収容ケース３０の下ケース３１に形成されたコネクタ収容凹部３６ａに配置され、ハウジング６３の一部が収容ケース３０から外部に露出されている。
【００２９】
このコネクタ６２には、枝線ハーネス１２に設けられた分岐側コネクタ７０が接続される。分岐側コネクタ７０には、枝線ハーネス１２を構成する分岐線７１の端部に接続されたメス端子（図示略）が収容されている。そして、この分岐側コネクタ７０をコネクタ６２へ接続すると、この分岐側コネクタ７０に設けられたメス端子がコネクタ６２のタブ端子６４に電気的に接続される。これにより、枝線ハーネス１２を構成する分岐線７１が、タブ端子６４、回路基板６０の導体パターン及び接続端子５０を介して幹線ハーネス１１の電源系ライン２１と電気的に接続される。
【００３０】
このように、上記の分岐ボックス１００Ａを用いた本第１実施形態に係る分岐構造によれば、分岐線７１を電源系ライン２１に電気的に接続するための接続端子５０の接続板部５１が、丸棒導体１３を有する電源系ライン２１の直径Ｄより小さい幅寸法Ｗを有し、電源系ライン２１に対して、その配列方向と直交する位置に接合されている。したがって、分岐線７１を電源系ライン２１に接続するための接続端子５０が電源系ライン２１の配列方向へ出っ張ることがない。従って、電源系ライン２１同士の間隔を極力狭めることができ、分岐箇所の省スペース化が図れる。
【００３１】
また、電源系ライン２１における丸棒導体１３の外周面に対して接続端子５０の接続板部５１が面接触した状態で接合されるので、大きな接触面積を確保でき、高い接続信頼性を確保することができる。
【００３２】
しかも、電源系ライン２１の配列方向に沿って配置される回路基板６０の導体パターンを通して、電源系ライン２１に接合された接続端子５０と分岐線７１とを導通させる構造であるので、接続端子５０の共通化及び形状の単純化が図れ、これにより、コストを抑えることができる。
【００３３】
そして、上記分岐構造を備えた本実施形態に係るワイヤハーネス１０によれば、所定の電流容量を有する電源系ライン２１を有して車体１に配索される幹線ハーネス１１と、この幹線ハーネス１１に沿って分散配置された複数の制御ボックスＥ１〜Ｅ５を介して補機を幹線ハーネス１１に接続する枝線ハーネス１２とによって、単純な構造を有するワイヤハーネス１０を構成することができると共に、幹線ハーネス１１における配列方向幅を狭めて枝線ハーネス１２の接続箇所での省スペース化及び高い接続信頼性が得られたワイヤハーネス１０を提供できる。
【００３４】
また、複数の電源系ライン２１が並列に配列される幹線ハーネス１１は、車室内フロアに沿って車体１の左右方向のほぼ中央部において車体１の前後方向に延びるように配置される。そこで、電源系ライン２１同士の間隔が広がってしまうと、幹線ハーネス１１の配列方向幅が広がり、占有スペースが増大してしまうが、本実施形態の分岐構造によれば、幹線ハーネス１１の配列方向幅を最少として占有スペースが増大しないワイヤハーネス１０を提供できる。
【００３５】
なお、上記実施形態では、幹線ハーネス１１を構成する電源系ライン２１の配索材として丸棒導体１３を用いた場合を例示したが、電源系ライン２１としては、丸棒導体１３に限らず、棒導体として角棒などの断面多角形の剛体でも良い。丸棒導体１３は、軸回りに回転しても円弧状に凹む接続板部５１と均一に面接触させやすく、また、上下左右のどの方向にも容易に曲げられるので、幹線ハーネス１１を構成する電源系ライン２１として用いるのが好ましい。なお、断面多角形の剛体からなる棒導体を有する配索材を電源系ライン２１として用いる場合、接続端子５０の接続板部５１としては、断面多角形の電源系ライン２１の外周面に面接触する接合面５２を有するものを用いる。
【００３６】
また、本第１実施形態に係る分岐ボックス１００Ａにおける各部材の接続手順は、特に限定されることはなく、電源系ライン２１に接続端子５０を接続した後に接続端子５０を回路基板６０に接続しても良く、また、回路基板６０に接続端子５０を接続した後に接続端子５０に電源系ライン２１を接続しても良い。
【００３７】
なお、上記の分岐ボックス１００Ａにおいて、下ケース３１にカバー３２を装着することで、電源系ライン２１を接続端子５０の接続板部５１に押し付けて電源系ライン２１における丸棒導体１３の外周面と接合面５２とを接合させても良い。
【００３８】
以下、本発明の他の実施形態に係る分岐構造について説明する。なお、上記第１実施形態と同一構成部分は、同一符号を付して説明を省略する。
【００３９】
（第２実施形態）
図５は、本発明の第２実施形態に係る分岐構造を有する分岐ボックス１００Ｂの分解斜視図である。
図５に示すように、本第２実施形態に係る分岐構造では、分岐ボックス１００Ｂを用いて幹線ハーネス１１に枝線ハーネス１２が接続される。
【００４０】
分岐ボックス１００Ｂは、上述した分岐ボックス１００Ａのような回路基板６０を備えず、バスバー部５３を有する接続端子５０Ｂを備えている。バスバー部５３は、接続板部５１から下方へ延び、さらに幹線ハーネス１１の長手方向と直交する電源系ライン２１の配列方向へ延在されている。各電源系ライン２１の丸棒導体１３には、コネクタ６２のハウジング６３に穿設された対応する挿通孔６３ａとの距離に応じてバスバー部５３の長さが異なる接続端子５０Ｂが接続される。そして、それぞれの接続端子５０Ｂのバスバー部５３の端部は、タブ端子としてコネクタ６２の挿通孔６３ａを貫通してハウジング６３内に収容される。
【００４１】
また、この分岐ボックス１００Ｂの下ケース３１には、幹線収容溝３１ａ及びバスバー部収容溝３１ｂが形成されている。幹線収容溝３１ａには、幹線ハーネス１１の各電源系ライン２１が収容されて保持される。また、バスバー部収容溝３１ｂには、電源系ライン２１に接続された各接続端子５０Ｂのバスバー部５３が収容されて保持される。
【００４２】
本第２実施形態では、分岐ボックス１００Ｂのコネクタ６２に枝線ハーネス１２の分岐側コネクタ７０が接続されることで、枝線ハーネス１２を構成する分岐線７１が、接続端子５０Ｂを介して幹線ハーネス１１の電源系ライン２１と電気的に接続される。
【００４３】
この本第２実施形態の場合も、分岐線７１を電源系ライン２１に接続するための接続端子５０Ｂが電源系ライン２１の配列方向へ出っ張ることがない。従って、電源系ライン２１同士の間隔を極力狭めることができ、分岐箇所の省スペース化が図れ、また、大きな接触面積を確保して接続信頼性を高めることができる。
【００４４】
特に、本第２実施形態では、バスバー部５３を有する接続端子５０Ｂを用いることで回路基板６０を不要にできるので、部品点数の削減によるコストダウンを図ることができる。
【００４５】
なお、本第２実施形態の場合も、上記本第１実施形態の場合と同様に、下ケース３１にカバー３２を装着することで、電源系ライン２１を接続端子５０Ｂの接続板部５１に押し付けて電源系ライン２１における丸棒導体１３の外周面と接続板部５１の接合面５２とを接合させても良い。
【００４６】
（第３実施形態）
図６は、本発明の第３実施形態に係る分岐構造を有する分岐ボックス１００Ｃの分解斜視図である。図７は、図６に示した分岐ボックス１００Ｃにおける分岐箇所の要部断面図である。図８は、図６に示した分岐ボックス１００Ｃの組立手順を示す図であって、図８（ａ）〜図８（ｃ）は、各工程における斜視図である。
【００４７】
図６及び図７に示すように、本第３実施形態に係る分岐構造では、上述した分岐ボックス１００Ａのような接続端子５０を備えない分岐ボックス１００Ｃを用いて幹線ハーネス１１に枝線ハーネス１２が接続される。即ち、分岐ボックス１００Ｃは、幹線ハーネス１１の電源系ライン２１と回路基板６０とを直接接続させている。また、本第３実施形態では、幹線ハーネス１１の電源系ライン２１が分割されている。
【００４８】
本第３実施形態では、回路基板６０として、可撓性を有する基板であるフレキシブル配線板が用いられている。この回路基板６０における電源系ライン２１の配列方向に沿う両方の縁部には、それぞれ電源系ライン２１と同数の接触片６５が形成されている。これらの接触片６５は、帯状に形成されており、電源系ライン２１と同ピッチで電源系ライン２１の配列方向に形成されている。
【００４９】
回路基板６０上には、ハウジング底板８１及び弾性部材８２が設けられている。ハウジング底板８１は、合成樹脂から形成された平面視矩形状の板体であり、弾性部材８２を介装した状態でハウジング９０の下面側に取り付けられている。弾性部材８２は、板バネからなるもので、回路基板６０の上面側に、ハウジング底板８１を介して重ねられている。弾性部材８２には、電源系ライン２１の配列方向に沿う両方の縁部に、それぞれ電源系ライン２１と同数の弾性片８２ａが形成されている。これらの弾性片８２ａは、電源系ライン２１と同ピッチで電源系ライン２１の配列方向に形成されており、それぞれ上方に突出するように湾曲されている。
【００５０】
回路基板６０に設けられた帯状の接触片６５は、回路基板６０に対してそれぞれ上面側へ折り返されている。そして、これらの接触片６５は、回路基板６０上に重ねられた弾性部材８２の各弾性片８２ａを覆うように配置されている。この回路基板６０に設けられた接触片６５には、コネクタ６２のタブ端子６４に繋がる導体パターンが延在されている。また、回路基板６０には、互いに対向する接触片６５を繋ぐ導体パターンが形成されている。これらの折り返された接触片６５には、その上部に分割された電源系ライン２１の各端部が配置される。また、接触片６５には、ソルダーレジストの一部が剥がされ、導体パターンの一部が露出された導体露出部６５ａが設けられている（図８（ｂ）参照）。
【００５１】
回路基板６０の上部には、合成樹脂から形成されたハウジング９０が設けられている。このハウジング９０には、回路基板６０に面する下面側に、幹線ハーネス１１の長手方向に沿う幹線導入溝９１が形成されている。これらの幹線導入溝９１は、電源系ライン２１と同一ピッチで電源系ライン２１の配列方向に形成されている。また、ハウジング９０には、下面側における幹線ハーネス１１の長手方向の中央部分に、隔壁部９２が形成されている。
【００５２】
このハウジング９０は、回路基板６０の上面側に被せるように配置される。回路基板６０の上面にハウジング９０を被せると、回路基板６０の弾性片８２ａを覆うように配置された接触片６５が幹線導入溝９１内にそれぞれ配置される。この幹線導入溝９１には、それぞれ分割された電源系ライン２１の端部が挿し込まれる。
【００５３】
回路基板６０に対して、ハウジング底板８１、弾性部材８２及びハウジング９０を組み付けるには、図８（ａ）に示すように、接触片６５が延ばされた状態の回路基板６０を用意し、図８（ｂ）に示すように、回路基板６０にハウジング底板８１及び弾性部材８２を順に重ねる。そして、回路基板６０の両縁から延びる接触片６５を回路基板６０の上面側へ折り返し、弾性部材８２の各弾性片８２ａを覆うように配置させる。
さらに、図８（ｃ）に示すように、回路基板６０の上面側にハウジング９０を被せてハウジング底板８１に固定し、回路基板６０の弾性片８２ａを覆うように配置された接触片６５を各幹線導入溝９１内に配置させる。
【００５４】
その後、この回路基板６０、ハウジング底板８１、弾性部材８２及びハウジング９０からなる組立体を下ケース３１内に収容し、下ケース３１にカバー３２を被せて装着する。
【００５５】
このようにして組み立てた分岐ボックス１００Ｃでは、下ケース３１の幹線挿通凹部３５ａと連通するハウジング９０の幹線導入溝９１に、絶縁被覆１５を剥がして丸棒導体１３を露出させた電源系ライン２１の端部を挿し込む。すると、電源系ライン２１の丸棒導体１３には、幹線導入溝９１内に配置された接触片６５の導体露出部６５ａが弾性片８２ａの弾性力によって押し付けられ、回路基板６０の導体パターンが接触される。これにより、それぞれのタブ端子６４に繋がる回路基板６０の導体パターンが各電源系ライン２１と導通され、また、対向位置で幹線導入溝９１に挿し込まれた電源系ライン２１同士が導体パターンによって互いに導通される。
【００５６】
本第３実施形態では、分岐ボックス１００Ｃのコネクタ６２に枝線ハーネス１２の分岐側コネクタ７０が接続されることで、枝線ハーネス１２を構成する分岐線７１が、回路基板６０の導体パターンを介して、幹線ハーネス１１の分割された電源系ライン２１と電気的に接続される。また、本第３実施形態では、分割された電源系ライン２１同士が回路基板６０の導体パターンによって電気的に接続される。
【００５７】
このように、本第３実施形態によれば、電源系ライン２１の端部を幹線導入溝９１へ挿し込むことで、電源系ライン２１と分岐線７１とを容易に電気的に接続することができる。また、電源系ライン２１と分岐線７１とを電気的に接続するためのバスバーや端子などの部品を不要にでき、部品点数の削減によりコストを抑えることができる。
【００５８】
特に、本第３実施形態によれば、分割された電源系ライン２１同士を回路基板６０の導体パターンによって電気的に接続するので、幹線導入溝９１の向きを変えて電源系ライン２１の接続方向を調整することで、分割された電源系ライン２１の接続箇所に角度を付けることができる。これにより、必要に応じて幹線ハーネス１１の配索経路を屈曲させることができ、配索の自由度を高めることができる。また、幹線導入溝９１への電源系ライン２１の挿入箇所において、幹線ハーネス１１の配索経路の長さのばらつきを吸収しつつ配索することができ、配索作業性を向上させることができる。
【００５９】
なお、本第３実施形態では、フレキシブル配線板を回路基板６０として用いた場合を例示したが、回路基板６０として硬質基板を用いても良い。この場合、硬質基板からなる回路基板６０の両縁部に可撓性を有する帯状の接触片６５を設けることとなる。
【００６０】
ところで、ワイヤハーネス１０は、車体１の形状等に応じて、幹線ハーネス１１の配索経路を屈曲させる必要が生じる場合がある。したがって、このような幹線ハーネス１１の配索経路を屈曲させる場合では、上記分岐ボックス１００Ｃを用いることで、幹線ハーネス１１の配索経路を容易に屈曲させることができる。
【００６１】
ここで、幹線ハーネス１１の配索経路を屈曲させたワイヤハーネス１０Ａについて説明する。
図９は、配索経路に屈曲部分を有するワイヤハーネス１０Ａを説明するワイヤハーネスの平面図である。
【００６２】
図９に示すように、このワイヤハーネス１０Ａは、幹線ハーネス１１に対する枝線ハーネス１２の分岐箇所で幹線ハーネス１１の配索経路が屈曲されている。このようなワイヤハーネス１０Ａでは、幹線ハーネス１１と枝線ハーネス１２との接続箇所に、幹線ハーネス１１の配索方向を屈曲させることが可能な分岐ボックス１００Ｃが設けられる。
即ち、このワイヤハーネス１０Ａでは、分岐ボックス１００Ｃによって幹線ハーネス１１に枝線ハーネス１２が電気的に接続されて幹線ハーネス１１から枝線ハーネス１２が分岐されており、さらに、幹線ハーネス１１の配索経路が屈曲されている。
【００６３】
（第４実施形態）
図１０は、本発明の第４実施形態に係る分岐構造を有する分岐ボックス１００Ｄの分解斜視図である。図１１は、図１０に示した分岐ボックス１００Ｄの組立手順を示す図であって、図１１（ａ）〜図１１（ｃ）は、各工程における斜視図である。
図１０に示すように、本第４実施形態に係る分岐構造では、分岐ボックス１００Ｄを用いて幹線ハーネス１１に枝線ハーネス１２が接続される。
【００６４】
回路基板６０は、コネクタ６２と反対側の縁部に、可撓基板部６６が設けられている。この可撓基板部６６は、フレキシブル配線板等の可撓性を有する基板であり、回路基板６０に対して折り返されて上面側に配置されている。この回路基板６０に設けられた可撓基板部６６には、コネクタ６２のタブ端子６４に繋がる導体パターン７３が延在されている。
【００６５】
また、この回路基板６０には、その上面側に、スペーサ８５が重ね合わされており、回路基板６０の上面側に折り返された可撓基板部６６が、スペーサ８５の上面側に重ねられている。スペーサ８５は、合成樹脂から形成されたもので、可撓基板部６６が重ねられる上面側には、幹線ハーネス１１の長手方向に沿う保持溝部８６が形成されている。保持溝部８６は、電源系ライン２１の本数と同数形成されており、幹線ハーネス１１の各電源系ライン２１に対応するように、電源系ライン２１と同ピッチで電源系ライン２１の配列方向に並んだ位置に形成されている。保持溝部８６は、電源系ライン２１の外形に沿う形状とされている。具体的には、電源系ライン２１における丸棒導体１３に合わせて断面視で円弧状に凹んだ形状とされている。
【００６６】
このスペーサ８５の上面側に重ねられた回路基板６０の可撓基板部６６は、保持溝部８６を有するスペーサ８５の上面に沿う形状とされる。この可撓基板部６６の上部には、スペーサ８５の保持溝部８６に対応する位置に幹線ハーネス１１の電源系ライン２１がそれぞれ配置される。また、可撓基板部６６は、それぞれの電源系ライン２１が配置される部分において、ソルダーレジストの一部が剥がされている。これにより、これらの電源系ライン２１が配置される部分には、ソルダーレジストが剥がされた部分に、タブ端子６４から延びる導体パターン７３の一部が露出された導体露出部６６ａが設けられている。そして、それぞれの電源系ライン２１における絶縁被覆１５を剥がして露出させた丸棒導体１３は、導体露出部６６ａで露出されている導体パターン７３に対して、例えば、はんだ付けや超音波接合によって接合される。
【００６７】
回路基板６０へスペーサ８５を組み付けるには、図１１（ａ）に示すように、可撓基板部６６を折り返す前の回路基板６０を用意し、図１１（ｂ）に示すように、可撓基板部６６を回路基板６０の上面側へ折り返すとともに、回路基板６０と可撓基板部６６との間に、保持溝部８６を上方に向けたスペーサ８５を挿し込む。
そして、図１１（ｃ）に示すように、回路基板６０と可撓基板部６６との間にスペーサ８５が配置され、このスペーサ８５の上面側の可撓基板部６６が、保持溝部８６を有するスペーサ８５の上面に沿う形状とされる。
【００６８】
その後、回路基板６０の可撓基板部６６の上面側におけるスペーサ８５の保持溝部８６に対応する位置に電源系ライン２１を載せ、可撓基板部６６の導体露出部６６ａで露出されている導体パターン７３と電源系ライン２１の丸棒導体１３とを接合させる。これにより、電源系ライン２１は、タブ端子６４に繋がる回路基板６０の導体パターン７３と導通される。
【００６９】
本第４実施形態では、分岐ボックス１００Ｄのコネクタ６２に枝線ハーネス１２の分岐側コネクタ７０が接続されることで、枝線ハーネス１２を構成する分岐線７１が、可撓基板部６６を有する回路基板６０の導体パターン７３を介して幹線ハーネス１１の電源系ライン２１と電気的に接続される。
【００７０】
このように、本第４実施形態によれば、スペーサ８５の保持溝部８６によって形成された可撓基板部６６の窪みに電源系ライン２１を嵌め込み、電源系ライン２１の丸棒導体１３と導体露出部６６ａで露出されている導体パターン７３とを接合させることで、電源系ライン２１と分岐線７１とを容易に電気的に接続することができる。また、電源系ライン２１と分岐線７１とを電気的に接続するためのバスバーや端子などの部品を不要にでき、部品点数の削減によりコストを抑えることができる。
【００７１】
なお、本第４実施形態では、可撓基板部６６を含む回路基板６０の全部をフレキシブル配線板としても良い。
また、回路基板６０と可撓基板部６６との間にスペーサ８５を配置した後、可撓基板部６６の上面側におけるスペーサ８５の保持溝部８６に対応する位置に折り返し側から順に各電源系ライン２１を押し付け、可撓基板部６６が保持溝部８６を有するスペーサ８５の上面に沿う形状に形成されながら丸棒導体１３と導体露出部６６ａとを接合することもできる。
【００７２】
（第５実施形態）
図１２は、本発明の第５実施形態に係る分岐構造を有する分岐ボックス１００Ｅの分解斜視図である。
図１２に示すように、本第５実施形態に係る分岐構造では、分岐ボックス１００Ｅを用いて幹線ハーネス１１に枝線ハーネス１２が接続される。
【００７３】
本第５実施形態では、回路基板６０に接続基板部６７が設けられている。接続基板部６７は、回路基板６０における電源系ライン２１の配列方向に沿う一方の縁部にフレキシブル配線板等からなる可撓部６８によって連結されている。接続基板部６７は、可撓部６８を屈曲させることで、端縁部が電源系ライン２１側である上方へ向けられており、回路基板６０を下ケース３１に収容させることで、下ケース３１の端面板部３５によって押圧付勢され、端縁部が上方へ向けられた姿勢に維持される。
【００７４】
この接続基板部６７の端縁部には、保持凹部６７ａが形成されている。保持凹部６７ａは、電源系ライン２１の本数と同数形成されており、幹線ハーネス１１の各電源系ライン２１に対応するように、電源系ライン２１と同ピッチで電源系ライン２１の配列方向に並んだ位置に形成されている。保持凹部６７ａは、電源系ライン２１における丸棒導体１３の外形に沿う形状とされている。具体的には、電源系ライン２１の丸棒導体１３の外周面に合わせて円弧状に凹んだ形状とされている。
【００７５】
接続基板部６７の保持凹部６７ａの内面には、回路基板６０に形成されてタブ端子６４に繋がる導体パターン７５が、可撓部６８を介して導かれている。これらの保持凹部６７ａには、それぞれ電源系ライン２１における絶縁被覆１５を剥がして露出させた丸棒導体１３が嵌め込まれる。そして、それぞれの電源系ライン２１における丸棒導体１３は、回路基板６０の保持凹部６７ａの内面に導かれた導体パターン７５に対して、例えば、はんだ付けや超音波接合によって接合される。これにより、それぞれのタブ端子６４に繋がる回路基板６０の導体パターン７５が各電源系ライン２１と導通される。
【００７６】
本第５実施形態では、分岐ボックス１００Ｅのコネクタ６２に枝線ハーネス１２の分岐側コネクタ７０が接続されることで、枝線ハーネス１２を構成する分岐線７１が、接続基板部６７を有する回路基板６０の導体パターン７５を介して幹線ハーネス１１の電源系ライン２１と電気的に接続される。
【００７７】
このように、本第５実施形態によれば、回路基板６０の接続基板部６７の保持凹部６７ａの内面に導かれている導体パターン７５に電源系ライン２１を導通させることで、電源系ライン２１と分岐線７１とを容易に電気的に接続することができる。また、電源系ライン２１と分岐線７１とを電気的に接続するためのバスバーや端子などの部品を不要にでき、部品点数の削減によりコストを抑えることができる。
【００７８】
また、本第５実施形態においては、回路基板６０の両縁部に接続基板部６７を設け、それぞれの接続基板部６７の保持凹部６７ａで分割された電源系ライン２１の各端部を接合させる構造としても良い。このような構造にすれば、分割された電源系ライン２１の接続箇所に角度を付けることができる。これにより、必要に応じて幹線ハーネス１１の配索経路を屈曲させることができ、配索の自由度を高めることができる。
【００７９】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００８０】
例えば、電源系ライン２１は、分岐線７１との接続の際に、予め設けられた絶縁被覆１５を除去して接続箇所の丸棒導体１３を露出させても良く、また、接続箇所を除く他の部分に後工程で絶縁被覆１５を設けても良い。
【００８１】
ここで、上述した本発明に係る分岐構造及びワイヤハーネスの実施形態の特徴をそれぞれ以下［１］〜［４］に簡潔に纏めて列記する。
［１］  棒導体（丸棒導体１３）を有する配索材で構成される複数本の幹線（電源系ライン２１）が並列に配列された幹線ハーネス（１１）に、複数本の分岐線（７１）を有する枝線ハーネス（１２）が接続された分岐構造であって、
前記幹線に接合されることで前記分岐線を前記幹線に電気的に接続する接続端子（５０，５０Ｂ）は、前記幹線の幅（直径Ｄ）より小さい幅寸法（Ｗ）を有するとともに、前記幹線における前記棒導体の外周面に面接触した状態で接合される接続板部（５１）を備え、
前記接続板部が、前記幹線に対して、その配列方向と直交する位置に接合されている
ことを特徴とする分岐構造。
［２］  前記接続端子（５０）は、前記幹線（電源系ライン２１）の配列方向に沿って配置される回路基板（６０）に実装され、前記回路基板に設けたコネクタ（６２）に前記枝線ハーネス（１２）側のコネクタ（分岐側コネクタ７０）が接合されることで前記分岐線（７１）と導通される
ことを特徴とする上記［１］に記載の分岐構造。
［３］  前記接続端子（５０Ｂ）は、前記接続板部（５１）から前記幹線（電源系ライン２１）の配列方向に沿って延在するバスバー部（５３）を有し、前記バスバー部（５３）の端部に設けたコネクタ（６２）に前記枝線ハーネス（１２）側のコネクタ（分岐側コネクタ７０）が接合されることで前記分岐線（７１）と導通される
ことを特徴とする上記［１］に記載の分岐構造。
［４］  所定の電流容量を有する電源系ライン（２１）を少なくとも有して車体（１）に配索される前記幹線ハーネス（１１）と、
車両の補機に接続される前記枝線ハーネス（１２）と、
前記幹線ハーネスに供給される前記電源系ラインの電力を前記幹線ハーネスに接続される前記枝線ハーネスへ分配するための制御部を有し、前記幹線ハーネスに沿って分散配置された複数の制御ボックス（Ｅ１〜Ｅ５）と、を備え、
前記制御ボックスが、上記［１］〜［３］のいずれか１つに記載の分岐構造によって前記幹線ハーネスに前記枝線ハーネスを接続している
ことを特徴とするワイヤハーネス（１０）。
【符号の説明】
【００８２】
１：車体
１０：ワイヤハーネス
１１：幹線ハーネス
１２：枝線ハーネス
１３：丸棒導体（棒導体）
２１：電源系ライン（幹線）
５０，５０Ｂ：接続端子
５１：接続板部
５３：バスバー部
６０：回路基板
６２：コネクタ
７０：分岐側コネクタ（コネクタ）
７１：分岐線
１００Ａ〜１００Ｅ：分岐ボックス
Ｅ１〜Ｅ５：制御ボックス
Ｄ：直径
Ｗ：幅寸法
【図１】
2018074704.tif 000003
【図２】
2018074704.tif 000004
【図３】
2018074704.tif 000005
【図４】
2018074704.tif 000006
【図５】
2018074704.tif 000007
【図６】
2018074704.tif 000008
【図７】
2018074704.tif 000009
【図８】
2018074704.tif 000010
【図９】
2018074704.tif 000011
【図１０】
2018074704.tif 000012
【図１１】
2018074704.tif 000013
【図１２】
2018074704.tif 000014